(57)【要約】【課題】印鑑の形状、材質、色、汚れ具合等に関わりなく、印鑑の印面を鮮明に見ることができる印面鮮明化装置を提供する。【解決手段】透光性を有する基板１１と、この基板の表面に重ね合された柔軟性を有する柔軟性シート１２，１３とを備え、基板１１の表面１１ａに最も近い柔軟性シート１２の明度が、他の柔軟性シート１３の明度より高く、基板１１の表面１１ａに最も遠い柔軟性シート１３に印鑑Ｓの印面Ｓ１が押し付けられるので、押し付ける印鑑の形状、材質、色、汚れ具合にも関わりなく鮮明に印面が映し出される。これを目視で確認することもできるし、電子式カメラで撮影する場合も印面の電子化を簡単に綺麗に行うことができる。【選択図】図１
2019036235.tif 000002
【特許請求の範囲】
【請求項１】
透光性を有する基板と、この基板の表面に重ね合された複数枚の柔軟性を有する柔軟性シートとを備え、
複数枚の前記柔軟性シートのうち、前記基板の表面に最も近い前記柔軟性シートの明度が、他の前記柔軟性シートの明度より高く、
前記基板の表面に最も遠い前記柔軟性シートに印鑑の印面が押し付けられることを特徴とする印面鮮明化装置。
【請求項２】
前記基板と、当該基板の表面に最も近い前記柔軟性シートとの間に、透光性を有する弾性体シートが挟まれていることを特徴とする請求項１に記載の印面鮮明化装置。
【請求項３】
前記基板および複数枚の前記柔軟性シートは、それらの縁部を枠材に固定することによって一体化されていることを特徴とする請求項１に記載の印面鮮明化装置。
【請求項４】
前記基板、複数枚の前記柔軟性シートおよび前記弾性体シートは、それらの縁部を枠材に固定することによって一体化されていることを特徴とする請求項２に記載の印面鮮明化装置。
【請求項５】
前記基板および複数枚の前記柔軟性シートは、それらの縁部を枠材に固定することによって一体化され、前記弾性体シートの縁部は前記枠材に固定されていないことを特徴とする請求項２に記載の印面鮮明化装置。
【請求項６】
半透明な基板と、この基板の表面に重ね合され、かつ前記基板より明度が低い柔軟性を有する柔軟性シートとを備え、
前記柔軟性シートに印鑑の印面が押し付けられることを特徴とする印面鮮明化装置。
【請求項７】
前記基板の前記柔軟性シートと反対側の面に、透光性を有する弾性体シートと透光性を有する基板とが重ね合されていることを特徴とする請求項６に記載の印面鮮明化装置。
【発明の詳細な説明】
【技術分野】
【０００１】
本発明は、印鑑の印面を鮮明に見ることができる印面鮮明化装置に関する。
【背景技術】
【０００２】
契約書や伝票等に押印する前に印面を確認するなど、印鑑の印面を確認する場面は意外に多い。
またペーパーレス化においては、印面を電子化（イメージデータ化）するために、印面を電子カメラで撮影する方法が考えられている。印面を電子化する印面電子化装置の一例として特許文献１に記載のものが知られている。
この印面電子化装置は、ガラスなどの導光体材料からなる直角プリズムの長辺面に光源もしくは光拡散版を装着し、斜辺面に密着可能な透明弾性体シートを装着し、短辺面に相対する位置に電子式カメラを装着し、電子式カメラの出力を映像信号処理装置に接続した構成となっている。
【０００３】
このような印面電子化装置では、透明弾性体シートの表面に印鑑の印面を密着させるが、印鑑の印面に接触していない透明弾性体シートの表面に到達した光は全反射するため、この部分を電子式カメラでは白色と認識し、印面に接触（密着）している透明弾性体シートの表面に到達した光線は印面で乱反射するため、この部分を電子式カメラでは印面と同じ色と認識する。
したがって、印面の凹凸が同色の印鑑であっても、電子カメラでは印面の凸の部分は印面の色で、印面の凹の部分は白色と見えるため、容易に凹凸の差が認識できる。
【先行技術文献】
【特許文献】
【０００４】
【特許文献１】特開２０１３−２４２８３３号公報
【発明の概要】
【発明が解決しようとする課題】
【０００５】
ところで、印面を目視で確認する場合、印鑑の形状、材質、色、汚れ具合などによっては、印面の確認が困難な場合がある。また似ている印面を持つ印鑑が複数存在する場合は、印面が認識し難いと見ただけでは識別ができずに、わざわざ一度紙に押印してみてから必要な印鑑を選択する等の作業が必要になることもある。
また業務のペーパーレス化で、印鑑の印面を直接電子式カメラ等で撮影して印面画像を取得する場合があるが、その形状や光の当たり方、また印鑑の色や汚れによっては印面がはっきり写らない事が多い、この様な場合は、撮影した画像に様々な画像処理を加えても、実際の印面を再現することは非常に困難である。
【０００６】
本発明は、前記事情に鑑みてなされたもので、印鑑の形状、材質、色、汚れ具合等に関わりなく、印鑑の印面を鮮明に見ることができる印面鮮明化装置を提供することを目的とする。
【課題を解決するための手段】
【０００７】
前記目的を達成するために、本発明の印面鮮明化装置は、透光性を有する基板と、この基板の表面に重ね合された複数枚の柔軟性を有する柔軟性シートとを備え、
複数枚の前記柔軟性シートのうち、前記基板の表面に最も近い前記柔軟性シートの明度が、他の前記柔軟性シートの明度より高く、
前記基板の表面に最も遠い前記柔軟性シートに印鑑の印面が押し付けられることを特徴とする。
【０００８】
本発明においては、基板の表面に最も遠い柔軟性シートに印鑑の印面が押し付けられると、印面の凸部（文字を構成する部分）が複数枚の柔軟性シートを押圧し、最も基板の表面に近い柔軟性シートを基板の表面に押し付ける。これによって、最も基板の表面に近く、明度の高い柔軟性シートは印面の凸部が押し付けられた部分が薄くなって、明度の低い柔軟性シートの印面の凸部が押し付けられた部分が、薄くなった前記柔軟性シートから透けて基板の裏面側から見える。したがって、基板の裏面から見ると、印面の凸部は明度が低い色に、その他の部分は明度が高い色になり、印鑑の色に関係なく明度が低い色の文字で鮮明に印面が浮き出す。
このように、押し付ける印鑑の形状、材質、色、汚れ具合にも関わりなく鮮明に印面が映し出されるので、これを目視で確認することもできるし、電子式カメラで撮影する場合も印面の電子化を簡単に綺麗に行うことができる。
【０００９】
また、特許文献１に記載されている印面電子化装置では、光の屈折を利用しており、原理上印面を斜めに見ることになるので、必ずイメージを補正する画像処理が必要となり、そのためにコンピュータが必要になる。これに対して本発明では、印面を真正面から見ることができるので、補正処理が不要になり、コンピュータなど、外部のツールは不要になるため、電気も使わず、手軽に印面を鮮明に、かつ歪み無く見ることができる。
【００１０】
また、本発明の前記構成において、前記基板および複数枚の前記柔軟性シートは、それらの縁部を枠材に固定することによって一体化されていてもよい。
【００１１】
このような構成によれば、基板および複数枚の柔軟性シートが枠材によって一体化されているので、印面鮮明化装置が扱い易くなり、持ち歩きもできて、いつでも直ぐに印面を確認することができる。
【００１２】
また、本発明の前記構成において、前記基板と、当該基板の表面に最も近い前記柔軟性シートとの間に、透光性を有する弾性体シートが挟まれていてもよい。
【００１３】
このような構成によれば、基板と、当該基板の表面に最も近い柔軟性シートとの間に、透光性を有する弾性体シートを挟み込むことによって、印鑑の印面を基板の表面から最も遠い柔軟性シートに押し付けた時に、当該印面の凸部が柔軟性シートを挟んで直接基板に当たらずに、弾性体シートに当たるので、押印した感じが、従来からある朱肉を利用した場合のスタンプパッドに近くなり、押しやすく、硬さの調整もできるようになる。
【００１４】
また、本発明の前記構成において、前記基板、複数枚の前記柔軟性シートおよび前記弾性体シートは、それらの縁部を枠材に固定することによって一体化されていてもよい。
【００１５】
このような構成によれば、基板、複数枚の柔軟性シートおよび弾性体シートが枠材によって一体化されているので、印面鮮明化装置が扱い易くなり、持ち歩きもできて、いつでも直ぐに印面を確認することができる。
【００１６】
また、本発明の前記構成において、前記基板および複数枚の前記柔軟性シートは、それらの縁部を枠材に固定することによって一体化され、前記弾性体シートの縁部は前記枠材に固定されていなくてもよい。
【００１７】
このような構成によれば、基板と柔軟性シートとの間の弾性体シートが枠材に固定されていないので、当該弾性体シートがフリーに動ける。これにより、押印時に印面鮮明化装置が若干撓んでも、枠材から弾性体シートに無理な力が掛からずに印面を忠実に映し出すことができる。
【００１８】
また、本発明の印面鮮明化装置は、半透明な基板と、この基板の表面に重ね合され、かつ前記基板より明度が低い柔軟性を有する柔軟性シートとを備え、
前記柔軟性シートに印鑑の印面が押し付けられることを特徴とする。
【００１９】
本発明においては、柔軟性シートに印鑑の印面が押し付けられると、印面の凸部分（文字を構成する部分）が柔軟性シートを押圧し、当該柔軟性シートを基板の表面に押し付ける。この時、基板の表面は細かい凹凸があり、光は乱反射して、基板の裏面から見ると白色に見えているが、印面の凸部によって押し付けられた明度が低い柔軟性シートが基板の細かい凹凸に入り込んで平坦となり、乱反射しなくなり柔軟性シートの印面の凸部によって押し付けられた部分が基板の裏面に透けて見えるようになる。
したがって、押し付ける印鑑の形状、材質、色、汚れ具合にも関わりなく鮮明に印面が映し出されるので、これを目視で確認することもできるし、電子式カメラで撮影する場合も印面の電子化を簡単に綺麗に行うことができる。
【００２０】
また、本発明の前記構成において、前記基板の前記柔軟性シートと反対側の面に、透光性を有する弾性体シートと透明なガラス板とが重ね合されていてもよい。
【００２１】
このような構成によれば、弾性体シートにより、押印した時の感触を調整することができるとともに、透明なガラス板を通して印面を鮮明に見ることができる。
【発明の効果】
【００２２】
本発明によれば、印鑑の形状、材質、色、汚れ具合等に関わりなく、印鑑の印面を鮮明に見ることができる。
【図面の簡単な説明】
【００２３】
【図１】本発明の第１の実施の印面鮮明化装置の断面図である。
【図２】本発明の第２の実施の印面鮮明化装置の断面図である。
【図３】本発明の第３の実施の印面鮮明化装置の断面図である。
【図４】本発明の第４の実施の印面鮮明化装置を示すもので、（ａ）は断面図、（ｂ）は変形例の断面図である。
【図５】本発明の第５の実施の印面鮮明化装置の断面図である。
【図６】本発明の第６の実施の印面鮮明化装置の断面図である。
【図７】第１の実施の形態の印面鮮明化装置を備えたビューワーの概略構成を示す図である。
【図８】第１の実施の形態の印面鮮明化装置を備えた他のビューワーの概略構成を示す図である。
【図９】第１の実施の形態の印面鮮明化装置を備えた印鑑スキャナーの概略構成を示す図である。
【発明を実施するための形態】
【００２４】
以下、図面を参照しながら、本発明の実施形態について説明する。
（第１の実施の形態）
図１は第１の実施の形態に係る印面鮮明化装置１０の断面図である。
この印面鮮明化装置１０は、透光性を有する基板１１と、この基板１１の表面１１ａに重ね合された２枚の柔軟性を有する柔軟性シート１２，１３とを備えている。印面鮮明化装置１０では、基板１１の表面１１ａに最も遠い柔軟性シート１３に印鑑Ｓの印面Ｓ１が押し付けられるようになっている。
【００２５】
基板１１は矩形板状に形成された透明なガラス板１１であるが、半透明のガラス板であってもよい。また、基板１１はガラス板１１に限らず、透明または半透明の硬質の板ならば何でもよい。例えば、透明または半透明な硬質プラスティック板、アクリル板、またはポリカーボネート板などでもよい。
【００２６】
２枚の柔軟性シート１２，１３のうち、基板１１の表面１１ａに最も近い柔軟性シート１２の明度は、他の柔軟性シート１３の明度より高くなっている。
本実施の形態では、柔軟性シート１２は乳白色ラテックスシート１２であり、柔軟性シート１３は黒色ラテックスシート１３である。したがって、乳白色ラテックスシート１２の明度は黒色ラテックスシート１３より高くなっている。
また、乳白色ラテックスシート１２および黒色ラテックスシート１３は、基板１１と平面形状がほぼ同形・同大の矩形状に形成されており、厚みはそれぞれ０．０１ｍｍ〜１．００ｍｍに設定されている。なお、基板１１の厚さは１．０ｍｍ〜５．０ｍｍに設定されているがこれに限ることはない。要は印面Ｓ１を柔軟性シート１３に押し付けた時に、柔軟性シート１２が潰されて薄くなるが、十分に薄くなり柔軟性シート１３の色が透けて見えるとともに、印面Ｓ１を押し付ける時の力に耐えられる厚みがあれば、特に厚みは上述した範囲に限ることはない。
また、乳白色ラテックスシート１２は基板１１に密着した状態で重ね合され、黒色ラテックスシート１３は乳白色ラテックスシート１２に密着した状態で重ね合されているが、これらは必ずしも密着していなくてもよい。
また、基板１１、柔軟性シート１２，１３は平面視矩形状に限らず、印面Ｓ１を押し付ける面積を有する限り、円形、楕円形、多角形等どのような形状であってもよい。
【００２７】
このような印面鮮明化装置１０では、黒色ラテックスシート１３に印鑑Ｓの印面Ｓ１を押し付けると、印面Ｓ１の凸部分（文字を構成する部分）が黒色ラテックスシート１３に当たり、更に乳白色ラテックスシート１２を押し込む形になる。
すると、乳白色ラテックスシート１２の凸部が押し付けられた部分が潰れて、その部分だけ厚みが薄くなって、黒色ラテックスシート１３の黒色が、潰されて薄くなった乳白色ラテックスシート１２から透けて基板１１の裏面１１ｂから見える。これにより、印面Ｓ１の凸部分は黒色に、その他の部分は乳白色になり、印鑑Ｓ（の印面Ｓ１）の色に関係なく白地に黒文字で鮮明に印面が浮き出す。
もちろん、朱肉が付着した印鑑Ｓを使っても白地に黒文字で映し出されるし、この時朱肉が黒色ラテックスシート１３に残ってしまったとしても、映し出される印面Ｓ１は劣化しない。
【００２８】
以上のように本実施の形態によれば、基板（透明なガラス板）１１の裏面１１ｂから見ると、印面Ｓ１の凸部は黒色（明度が低い色）に、その他の部分は乳白色（明度が高い色）になり、印鑑Ｓ（の印面Ｓ１）の色に関係なく白地に黒文字で鮮明に印面Ｓ１が浮き出すので、押し付ける印鑑Ｓの形状、材質、色、汚れ具合にも関わりなく鮮明に印面Ｓ１が映し出されるので、これを目視で確認することもできるし、電子カメラで撮影する場合も印面Ｓ１の電子化を簡単に綺麗に行うことができる。
【００２９】
なお、本実施の形態では、柔軟性シート１２として、乳白色ラテックスシート１２を採用し、柔軟性シート１３として、黒色ラテックスシート１３を採用したが、これに限ることはない。例えば、柔軟性シート１２としては、白色など比較的明るい色（明度の高い色）のもので、適度な弾性を持つ他の素材でもよく、例えば、ゴムシート、塩化ビニール、ＴＰＥ（熱可塑性エラストマー）、ポリエチレン、シリコン等を採用してもよい。また、柔軟性シート１３としては、黒色など比較的暗い色（明度の低いい色）のもので、適度な弾性を持つ他の素材でもよく、例えば、ゴムシート、塩化ビニール、ＴＰＥ（熱可塑性エラストマー）、ポリエチレン、シリコン等を採用してもよい。
【００３０】
（第２の実施の形態）
図２は第２の実施の形態に係る印面鮮明化装置２０の断面図である。
本実施の形態にかかる印面鮮明化装置２０が前記印面鮮明化装置１０と異なる点は、基板１１と、当該基板１１の表面１１ａに最も近い柔軟性シート１２との間に透光性を有する弾性体シート１５が挟まれている点である。なお、印面鮮明化装置１０と共通の構成については同一符号を付して、その説明を省略ないし簡略化する。
本実施の形態では、弾性体シート１５は透明なエラストマーによって形成されているが、半透明なエラストマーによって形成されていてもよい。
また、弾性体シート１５は、基板１１と平面形状がほぼ同形・同大の矩形状に形成され、弾性体シート１５の厚さは０．５ｍｍ〜２．０ｍｍに設定されている。さらに、弾性体シート１５のアスカーＣ硬度は０〜５０が好適である。
【００３１】
本実施の形態によれば、弾性体シート１５が基板１１と柔軟性シート１２との間に挟み込まれているので、印鑑Ｓの印面Ｓ１を柔軟性シート１３に押し付けた時に、当該印面Ｓ１の凸部が柔軟性シート１２，１３を挟んで直接基板１１に当たらずに、弾性体シート１５に当たるので、押印した感じが、従来からある朱肉を利用した場合のスタンプパッドに近くなり、押しやすく、硬さの調整もできるようになる。
【００３２】
（第３の実施の形態）
図３は第３の実施の形態に係る印面鮮明化装置３０の断面図である。
本実施の形態にかかる印面鮮明化装置３０が前記印面鮮明化装置２０と異なる点は、基板１１、柔軟性シート１２，１３および弾性体シート１５を枠材１６によって一体化した点である。なお、印面鮮明化装置２０と共通の構成については同一符号を付して、その説明を省略ないし簡略化する。
【００３３】
枠材１６は、樹脂または紙等によって矩形リング状に形成されており、当該枠材１６の厚さは基板１１、柔軟性シート１２，１３および弾性体シート１５のそれぞれ厚さを合計した厚さより厚くなっている。そして、枠材１６の内周面に基板１１、柔軟性シート１２，１３および弾性体シート１５の外周縁部が固定され、これによって、基板１１、柔軟性シート１２，１３および弾性体シート１５が一体化されている。
なお、枠材１６は矩形リング状に限らず、基板１１、柔軟性シート１２，１３および弾性体シート１５の形状に合わせたリング状であればよい。
【００３４】
本実施の形態によれば、基板１１、柔軟性シート１２，１３および弾性体シート１５が枠材１６によって一体化されているので、印面鮮明化装置３０が扱い易くなり、持ち歩きもできて、いつでも直ぐに印面Ｓ１を確認することができる。
【００３５】
なお、第１の実施の形態に係る印面鮮明化装置１０は、基板１１および２枚の柔軟性シート１１，１２が、それらの縁部を前記枠材１６と同様の枠材に固定することによって一体化されていてもよい。このようにすれば印面鮮明化装置１０が扱い易くなり、持ち歩きもできて、いつでも直ぐに印面Ｓ１を確認することができる。
【００３６】
（第４の実施の形態）
図４（ａ）は第４の実施の形態に係る印面鮮明化装置４０の断面図である。
本実施の形態にかかる印面鮮明化装置４０が前記印面鮮明化装置３０と異なる点は、弾性体シート１５の外周縁部が枠材１６に固定されていない点である。なお、印面鮮明化装置３０と共通の構成については同一符号を付して、その説明を省略ないし簡略化する。
【００３７】
弾性体シート１５は、平面形状が矩形となっており、基板１１より小さくなっている。つまり、弾性体シート１５の４つの辺は、それぞれ基板１１の４つの辺より短くなっており、これによって、弾性体シート１５の外周縁と、枠材１６の内周面との間には所定の隙間が設けられている。したがって、弾性体シート１５は基板１１と柔軟性シート１２とによって挟まれているが、当該弾性体シート１５の外周縁部は枠材１６に固定されておらず、当該弾性体シート１５はその面方向において前記隙間の分だけ移動可能となっている。
【００３８】
本実施の形態によれば、弾性体シート１５が枠材１６に固定されていないので、当該弾性体シート１５がフリーに動ける。これにより、押印時に印面鮮明化装置３０が若干撓んでも、枠材１６から弾性体シート１５に無理な力が掛からずに印面Ｓ１を忠実に映し出すことができる。
【００３９】
図４（ｂ）は、第４の実施の形態に係る印面鮮明化装置４０の変形例を示す断面図である。この変形例では、弾性体シート１５に透光性を有する基板１５ａを柔軟性シート１２側において重ねている。基板１５ａは例えばＰＥＴシートやガラス板によって構成され、弾性体シート１５より硬くなっている。
このように基板１５ａは弾性体シート１５より硬くなっているので、印面Ｓ１を押し付けると、柔軟性シート（乳白色ラテックスシート）１２は、印面Ｓ１の凸部で押し潰され易くなり、より鮮明に印面Ｓ１を見ることができる。
なお、弾性体シート１５および基板１５ａの外周縁部を枠体１６の内周面に固定してもよい。
【００４０】
また、第１の実施の形態〜第４の実施の形態の印面鮮明化装置１０，２０，３０，４０は、２枚の柔軟性シート１２，１３を備えているが、柔軟性シートは３枚以上であってもよい。この場合、３枚以上の柔軟性シートのうち、基板１１の表面１１ａに最も近い柔軟性シートの明度が、他の柔軟性シートの明度より高く、基板１１の表面１１ａに最も遠い柔軟性シートに印鑑の印面が押し付けられるものであればよい。
【００４１】
なお、第１の実施の形態〜第４の実施の形態では、柔軟性シート１２として、乳白色ラテックスシートを使用したが、柔軟性シート１２は乳白色ラテックスシートに限ることはない。例えば、柔軟性シートとして、ゴム塗料を塗ったＰＥＴシートや、その他のシートを使用してもよい。要は、柔軟性シート１３より明度が高く、かつ柔軟性を有するシートであればよい。
【００４２】
（第５の実施の形態）
図５は第５の実施の形態に係る印面鮮明化装置５０の断面図である。
この印面鮮明化装置５０は、半透明な基板５１と、この基板５１の表面５１ａに重ね合され、かつ基板５１より明度が低い柔軟性を有する柔軟性シート１３とを備えており、柔軟性シート１３に印鑑Ｓの印面Ｓ１が押し付けられるようになっている。
【００４３】
本実施の形態では、基板５１はすりガラス板５１であり、柔軟性シート１３は第１〜第４の実施の形態と同様に、黒色ラテックスシート１３である。したがって、すりガラス板５１の明度は黒色ラテックスシート１３より高くなっている。
黒色ラテックスシート１３は、基板５１と平面形状がほぼ同形・同大の矩形状に形成されており、厚みはそれぞれ０．０１ｍｍ〜１．００ｍｍに設定されている。なお、基板５１の厚さは１．０ｍｍ〜５．０ｍｍに設定されているがこれに限ることはない。要は印面Ｓ１を柔軟性シート１３に押し付けた時に、当該柔軟性シート１３が潰されて薄くなるが、十分に薄くなり柔軟性シート１３の色が透けて見えるとともに、印面Ｓ１を押し付ける時の力に耐えられる厚みがあれば、特に厚みは上述した範囲に限ることはない。
【００４４】
このような印面鮮明化装置５０では、黒色ラテックスシート１３に印鑑Ｓを押し付けると、印面Ｓ１の凸部分（文字を構成する部分）が黒色ラテックスシート１３に当たり、それが、すりガラス板（基板）５１の表面５１ａに押し付けられ裏面５１ｂに印面Ｓ１が映し出される。
印面Ｓ１の凸部分に押された黒色ラテックスシート１３は、すりガラス板５１に押し付けられる形になる。この時、すりガラス板５１の表面５１ａはざらざらしており、つまり細かい凹凸があり、光は乱反射して、印鑑Ｓの印面Ｓ１を押し付けた側の反対側、つまりすりガラス板５１の裏面５１ｂから見ると白色に見えているが、印面Ｓ１の凸部によって押し付けられた黒色ラテックスシート１３がすりガラス板１３のざらざらした部分、つまり細かい凹凸に入り込んで平坦となり、乱反射しなくなり黒色ラテックスシート１３の印面Ｓ１の凸部によって押し付けられた部分がすりガラス板５１の裏面５１ｂに透けて見えるようになる。つまり、印面Ｓ１は乱反射した白い光の中に黒色で浮かび上がる。
もちろん、朱肉が付着した印鑑Ｓを使っても白地に黒文字で映し出されるし、この時朱肉が黒色ラテックスシート１３に残ってしまったとしても、映し出される印面Ｓ１は劣化しない。
【００４５】
このように、本実施の形態の印面鮮明化装置５０でも、押し付ける印鑑Ｓの形状、材質、色、汚れ具合にも関わりなく鮮明に印面Ｓ１が映し出されるので、これを目視で確認することもできるし、電子式カメラで撮影する場合も印面Ｓ１の電子化を簡単に綺麗に行うことができる。
【００４６】
（第６の実施の形態）
図６は第６の実施の形態に係る印面鮮明化装置６０の断面図である。
本実施の形態にかかる印面鮮明化装置６０が前記印面鮮明化装置５０と異なる点は、基板５１の柔軟性シート（黒色ラテックスシート）１３と反対側の裏面５１ｂに、透光性を有する弾性体シート６１と透光性を有する基板（例えば透明なガラス板）６２とが重ね合されている点である。なお、印面鮮明化装置５０と共通の構成については同一符号を付して、その説明を省略ないし簡略化する。
【００４７】
弾性体シート６１は透明なエラストマーによって形成されているが、半透明なエラストマーによって形成されていてもよい。
また、弾性体シート６１は、基板５１と平面形状がほぼ同形・同大の矩形状に形成され、弾性体シート６１の厚さは０．５ｍｍ〜２．０ｍｍに設定されている。
ガラス板６２は、基板５１と平面形状がほぼ同形・同大の矩形状に形成され、その厚さは１．０ｍｍ〜５．０ｍｍに設定されているがこれに限ることはない。要は印面Ｓ１を柔軟性シート１３に押し付けた時に、当該柔軟性シート１３が潰されて薄くなるが、十分に薄くなり柔軟性シート１３の色が透けて見えるとともに、印面Ｓ１を押し付ける時の力に耐えられる厚みがあれば、特に厚みは上述した範囲に限ることはない。
【００４８】
本実施の形態によれば、弾性体シート６１により、押印した時の感触を調整することができるとともに、透明なガラス板６２を通して印面Ｓ１を鮮明に見ることができる。
なお、本実施の形態において、基板５１、柔軟性シート（黒色ラテックスシート）１３、弾性体シート６１およびガラス板６２を、第４の実施の形態と同様に、枠材によって一体化してもよいし、第４の実施の形態と同様に、弾性体シート６１の外周縁部を枠材に固定しなくてもよい。
【００４９】
図７は、第１の実施の形態の印面鮮明化装置１０を備えたビューワー７０の概略構成を示す図である。なお、印面鮮明化装置１０の構成は、図１に示す第１の実施の形態の印面鮮明化装置１０の構成と同一であるので、同一符号を付してその説明を省略する。
ビューワー７０は、紙に押印しなくても、印面Ｓ１を正像で見ることのできるものであり、印面鮮明化装置１０と、ミラー（鏡）７１と透明なガラス板７２とを備えている。
ミラー７１は印面鮮明化装置１０の基板１１の裏面１１ｂに対して４５度傾いて配置されている。また、ガラス板７２は基板１１の裏面１１ｂに対して直角に配置されるとともに、ミラー７１に対して４５度傾いて対向している。
【００５０】
このようなビューワー７０では、印面鮮明化装置１０によって基板１１の裏面１１ｂに映し出された印面Ｓ１を、ミラー７１で反転し、それを目視することで正象Ｍ１として見ることができる。基板１１の裏面１１ｂに映し出された印面Ｓ１は、それを直接目視した場合は、逆像Ｍ２になるので、正象Ｍ１を見られるのは便利である。
【００５１】
図８は上述したビューワー７０とは異なるビューワー８０の概略構成を示す図である。
このビューワー８０は、ビューワー７０と同様に、印面鮮明化装置１０を備えている。なお、印面鮮明化装置１０の構成は、図１に示す第１の実施の形態の印面鮮明化装置１０の構成と同一であるので、同一符号を付してその説明を省略する。
また、ビューワー８０は、印面鮮明化装置１０と、当該印面鮮明化装置１０の基板１１の裏面１１ｂに対向して設けられた電子カメラ８１と、この電子カメラ８１に接続された画像処理装置８２と、この画像処理装置８２に接続されたＬＣＤ表示装置（液晶表示装置）８３とを備えている。
【００５２】
このようなビューワー８０では、印面鮮明化装置１０の基板１１の裏面１１ｂに映し出された印面Ｓ１を電子カメラ８１で撮影し、この撮影した撮影データを画像処理装置８２で画像処理したうえで、ＬＣＤ表示装置（液晶表示装置）８３に、印面Ｓ１を正象Ｍ１として表示することができる。
また、電子カメラ８１または画像処理装置８２にメモリ機能を設けることによって、複数の印鑑Ｓの印面Ｓ１の画像を記録しておくことができ、さらに、画像処理装置８２をパソコン８４にＵＳＢケーブル８５等によって接続することによって、パソコン８４に印面Ｓ１の画像を保存して管理したり、印面Ｓ１の画像をドキュメントなどに貼り付けたりすることもできる。
【００５３】
図９は第１の実施の形態の印面鮮明化装置１０を備えた印鑑スキャナー９０の概略構成を示す図である。
印鑑スキャナー（印面電子化装置）９０は、印面鮮明化装置１０を備えている。なお、印面鮮明化装置１０の構成は、図１に示す第１の実施の形態の印面鮮明化装置１０の構成と同一であるので、同一符号を付してその説明を省略する。
また、印鑑スキャナー９０は、印面鮮明化装置１０と、当該印面鮮明化装置１０の基板１１の裏面１１ｂに対向して設けられた電子カメラ８１と、この電子カメラ８１に接続されたパソコン９１を備えており、このパソコン９１に、電子カメラ８１で撮影された撮影データを画像処理する画像処理部が設けられている。
このような印鑑スキャナー９０では、上述した特許文献１に記載されている従来の印鑑スキャナー（印面電子化装置）に比して、シンプルな構造となり小型化が可能となる。
なお、印鑑スキャナー（印面電子化装置）９０の上部に埃の侵入防止等のためにガラス板が設置されている場合、このガラス板を印面鮮明化装置１０の基板１１の代わりに使用することができる。この場合、基板１１が不要となり、柔軟性シート１２，１３を印鑑スキャナー（印面電子化装置）９０のガラス板に設置すればよい。
【００５４】
また、上述したビューワー７０，８０および印鑑スキャナー９０において、印面鮮明化装置１０に代えて印面鮮明化装置２０，３０，４０，５０，６０のいずれか用いてもよい。
【符号の説明】
【００５５】
Ｓ  印鑑
Ｓ１  印面
１０，２０，３０，４０，５０，６０  印面鮮明化装置
１１，５１  基板
１１ａ，５１ａ  基板の表面
１２  乳白色ラテックスシート（柔軟性シート）
１３  黒色ラテックスシート（柔軟性シート）
１５，６１  弾性体シート
１６  枠材
６２  透光性を有する基板
【図１】
2019036235.tif 000003
【図２】
2019036235.tif 000004
【図３】
2019036235.tif 000005
【図４】
2019036235.tif 000006
【図５】
2019036235.tif 000007
【図６】
2019036235.tif 000008
【図７】
2019036235.tif 000009
【図８】
2019036235.tif 000010
【図９】
2019036235.tif 000011